(57)【要約】【課題】シュレッダにおける細断機構の負荷及び動作方向を明確に視認する。【解決手段】シュレッダ筐体１内の搬入経路２の途中に設けられ、少なくとも回転するカッタ要素３ａを用いて搬入経路２に搬入されたシート状物Ｓを細断する細断機構３と、細断機構３のカッタ要素３ａを正逆回転可能に駆動する駆動装置４と、シート状物Ｓの搬入量に伴って変化する細断機構３の負荷を判別する負荷判別部５と、細断機構３のカッタ要素３ａの回転方向（Ａ方向又はＢ方向）を判別する方向判別部６と、複数の表示要素７ａの点灯パターンに応じて細断機構３の負荷の程度を表示する負荷表示器７と、複数の表示要素８ａの点灯パターンに応じて細断機構３に対するシート状物Ｓの搬入又は排出方向を表示する方向表示器８と、負荷判別部５の判別結果に基づいて負荷表示器７を制御すると共に、方向判別部６の判別結果に基づいて方向表示器８を制御する制御装置９と、を備える。【選択図】図１
2015134330.tif 000002
【特許請求の範囲】
【請求項１】
シュレッダ筐体と、
このシュレッダ筐体内に設けられてシート状物が搬入される搬入経路と、
前記シュレッダ筐体内の前記搬入経路の途中に設けられ、少なくとも回転するカッタ要素を用いて前記搬入経路に搬入されたシート状物を細断する細断機構と、
前記細断機構に対し前記シート状物を搬入又は排出可能になるように、前記細断機構のカッタ要素を正逆回転可能に駆動する駆動装置と、
前記シート状物の搬入量に伴って変化する前記細断機構の負荷を判別する負荷判別部と、
前記細断機構のカッタ要素の回転方向を判別する方向判別部と、
点灯可能な一若しくは複数の表示要素を有し、前記表示要素の点灯パターンに応じて前記細断機構の負荷の程度を表示する負荷表示器と、
点灯可能な複数の表示要素を有し、前記複数の表示要素の点灯パターンに応じて前記細断機構に対するシート状物の搬入又は排出方向を表示する方向表示器と、
前記負荷判別部の判別結果に基づいて前記負荷表示器を制御すると共に、前記方向判別部の判別結果に基づいて前記方向表示器を制御する制御装置と、
を備えたことを特徴とするシュレッダ。
【請求項２】
請求項１に記載のシュレッダにおいて、
前記負荷表示器は前記方向表示器を兼用することを特徴とするシュレッダ。
【請求項３】
請求項１又は２に記載のシュレッダにおいて、
前記負荷表示器は複数の表示要素の点灯数に応じて前記細断機構の負荷の程度を表示することを特徴とするシュレッダ。
【請求項４】
請求項１又は２に記載のシュレッダにおいて、
前記負荷表示器は異なる点灯色で点灯可能な一若しくは複数の表示要素を有し、表示要素の点灯色に応じて前記細断機構の負荷の程度を表示することを特徴とするシュレッダ。
【請求項５】
請求項１ないし４いずれかに記載のシュレッダにおいて、
前記方向表示器は予め決められた方向に並ぶ複数の表示要素を有し、複数の表示要素の点灯の切り替えパターンを異ならせることで、前記細断機構に対するシート状物の搬入又は排出方向を表示することを特徴とするシュレッダ。
【請求項６】
請求項１ないし５いずれかに記載のシュレッダにおいて、
前記負荷表示器及び前記方向表示器は予め決められた方向に並ぶ３以上の表示要素であることを特徴とするシュレッダ。
【発明の詳細な説明】
【技術分野】
【０００１】
本発明は、用紙などのシート状物を細断するシュレッダに関する。
【背景技術】
【０００２】
従来この種のシュレッダとしては、例えば特許文献１，２に記載した技術が既に提供されている。
特許文献１には、カツター回転装置と細断屑ならし用の羽根駆動手段とを夫々独立に設け、羽根駆動手段に流れる電流の増加により細断屑の満杯状態を検知して、カツター回転装置及び羽根駆動手段を停止させる文書細断機が開示されている。
特許文献２には、スロートによって受けられる物品の厚さを検出する検出器と、検出器が検出した物品の厚さがある範囲に収まっていることをシュレッダの使用者に表示させる累進表示システムとを備え、この累進表示システムが複数の表示器（ライト）を含み、各表示器が、物品の所定の厚さに関連し、検出器の出力に基づいてそれぞれ対応する所定の厚さと関連する表示器を作動させるシュレッダが開示されている。
【先行技術文献】
【特許文献】
【０００３】
【特許文献１】特公平６−８５８８５号公報（実施例，第１図）
【特許文献２】特表２００９−５３０１０８号公報（実施例，図１２）
【発明の概要】
【発明が解決しようとする課題】
【０００４】
確かに、特許文献１にあっては、細断屑の満杯状態を検知することで、シュレッダの細断処理の停止時期を制御することが可能であり、特許文献２にあっては、スロートに搬入される物品の厚さを検知することで、表示器によって細断機構に搬入される物品の厚さが許容範囲内か否かを把握することは可能である。
しかしながら、特許文献１，２によっても、シュレッダにおける細断機構の負荷や動作方向に関する動作状態を正確に把握することは困難である。
【０００５】
本発明が解決しようとする技術的課題は、シュレッダにおける細断機構の負荷及び動作方向を明確に視認することにある。
【課題を解決するための手段】
【０００６】
請求項１に係る発明は、シュレッダ筐体と、このシュレッダ筐体内に設けられてシート状物が搬入される搬入経路と、前記シュレッダ筐体内の前記搬入経路の途中に設けられ、少なくとも回転するカッタ要素を用いて前記搬入経路に搬入されたシート状物を細断する細断機構と、前記細断機構に対し前記シート状物を搬入又は排出可能になるように、前記細断機構のカッタ要素を正逆回転可能に駆動する駆動装置と、前記シート状物の搬入量に伴って変化する前記細断機構の負荷を判別する負荷判別部と、前記細断機構のカッタ要素の回転方向を判別する方向判別部と、点灯可能な一若しくは複数の表示要素を有し、前記表示要素の点灯パターンに応じて前記細断機構の負荷の程度を表示する負荷表示器と、点灯可能な複数の表示要素を有し、前記複数の表示要素の点灯パターンに応じて前記細断機構に対するシート状物の搬入又は排出方向を表示する方向表示器と、前記負荷判別部の判別結果に基づいて前記負荷表示器を制御すると共に、前記方向判別部の判別結果に基づいて前記方向表示器を制御する制御装置と、を備えたことを特徴とするシュレッダである。
【０００７】
請求項２に係る発明は、請求項１に係るシュレッダにおいて、前記負荷表示器は前記方向表示器を兼用することを特徴とするシュレッダである。
請求項３に係る発明は、請求項１又は２に係るシュレッダにおいて、前記負荷表示器は複数の表示要素の点灯数に応じて前記細断機構の負荷の程度を表示することを特徴とするシュレッダである。
請求項４に係る発明は、請求項１又は２に係るシュレッダにおいて、前記負荷表示器は異なる点灯色で点灯可能な一若しくは複数の表示要素を有し、表示要素の点灯色に応じて前記細断機構の負荷の程度を表示することを特徴とするシュレッダである。
請求項５に係る発明は、請求項１ないし４いずれかに係るシュレッダにおいて、前記方向表示器は予め決められた方向に並ぶ複数の表示要素を有し、複数の表示要素の点灯の切り替えパターンを異ならせることで、前記細断機構に対するシート状物の搬入又は排出方向を表示することを特徴とするシュレッダである。
請求項６に係る発明は、請求項１ないし５いずれかに係るシュレッダにおいて、前記負荷表示器及び前記方向表示器は予め決められた方向に並ぶ３以上の表示要素であることを特徴とするシュレッダである。
【発明の効果】
【０００８】
請求項１に係る発明によれば、シュレッダにおける細断機構の負荷及び動作方向を明確に視認することができる。
請求項２に係る発明によれば、共通の表示器で、シュレッダの細断機構に対する負荷及び動作方向を明確に視認することができる。
請求項３に係る発明によれば、点灯数を増減させることで細断機構の負荷を表示することができる。
請求項４に係る発明によれば、点灯色の違いを利用して細断機構の負荷を表示することができる。
請求項５に係る発明によれば、細断機構の動作方向を表示する上で好適である。
請求項６に係る発明によれば、本構成を有さない態様に比べて、点灯パタ―ンの組合せを多く確保することができ、その分、細断機構の負荷及び動作方向をより明瞭に表示することができる。
【図面の簡単な説明】
【０００９】
【図１】（ａ）は本発明が適用されるシュレッダの実施の形態の概要を示す説明図、（ｂ）は（ａ）における負荷表示器、方向表示器の一例を示す説明図である。
【図２】（ａ）は負荷表示の一例を示す説明図、（ｂ）は動作方向表示の一例を示す説明図である。
【図３】実施の形態１に係るシュレッダの全体構成を示す説明図である。
【図４】（ａ）は実施の形態１に係るシュレッダの制御系を示す説明図、（ｂ）は同シュレッダの細断機構の駆動装置例を示す説明図である。
【図５】実施の形態１で用いられる細断表示器の設置例を示す説明図である。
【図６】（ａ）は細断表示器の表示制御系の一例を示す説明図、（ｂ）は負荷表示に対する負荷判別信号の一例を示す説明図、（ｃ）は動作方向表示に対する方向判別信号の一例を示す説明図である。
【図７】実施の形態１に係るシュレッダで用いられる細断処理制御を示すフローチャートである。
【図８】（ａ）は実施の形態１で用いられる負荷表示の一例を示す説明図、（ｂ）は実施の形態１で用いられる動作方向（正転）表示の一例を示す説明図、（ｃ）は実施の形態１で用いられる動作方向（逆転）表示の一例を示す説明図である。
【図９】（ａ）は実施の形態２に係るシュレッダで用いられる細断表示器の要部を示す説明図、（ｂ）はその負荷表示、動作方向表示の一例を示す説明図である。
【図１０】（ａ）は実施の形態３に係るシュレッダで用いられる細断表示器の要部を示す説明図、（ｂ）は負荷表示に対する負荷判別信号の一例を示す説明図、（ｃ）はその負荷表示の一例を示す説明図である。
【図１１】（ａ）は実施の形態４に係るシュレッダで用いられる細断表示器の要部を示す説明図、（ｂ）は負荷表示に対する負荷判別信号の一例を示す説明図、（ｃ）はその負荷表示の一例を示す説明図である。
【発明を実施するための形態】
【００１０】
◎実施の形態の概要
図１（ａ）は本発明が適用されるシュレッダの実施の形態の概要を示す説明図である。
同図において、シュレッダは、シュレッダ筐体１と、シュレッダ筐体１内に設けられてシート状物Ｓが搬入される搬入経路２と、シュレッダ筐体１内の搬入経路２の途中に設けられ、少なくとも回転するカッタ要素３ａを用いて搬入経路２に搬入されたシート状物Ｓを細断する細断機構３と、細断機構３に対しシート状物Ｓを搬入又は排出可能になるように、細断機構３のカッタ要素３ａを正逆回転可能に駆動する駆動装置４と、シート状物Ｓの搬入量に伴って変化する細断機構３の負荷を判別する負荷判別部５と、細断機構３のカッタ要素３ａの回転方向（Ａ方向又はＢ方向）を判別する方向判別部６と、点灯可能な一若しくは複数の表示要素７ａを有し、表示要素７ａの点灯パターンに応じて細断機構３の負荷の程度を表示する負荷表示器７（図１（ｂ）参照）と、点灯可能な複数の表示要素８ａを有し、複数の表示要素８ａの点灯パターンに応じて細断機構に対するシート状物Ｓの搬入又は排出方向を表示する方向表示器８（図１（ｂ）参照）と、負荷判別部５の判別結果に基づいて負荷表示器７を制御すると共に、方向判別部６の判別結果に基づいて方向表示器８を制御する制御装置９と、を備えている。
【００１１】
このような技術的手段において、細断機構３としては、細断屑を細かくするという観点からすれば、二方向に対して細断可能な機能を備えている態様が好ましく、複数のカッタ要素を組み合わせてもよいし、あるいは、一つのカッタ要素に二方向の細断機能を具備させる態様（所謂クロスカッタ）でもよい。
また、駆動装置４としては、細断機構３のカッタ要素３ａを正逆回転可能に駆動する駆動源を有していればよく、通常の細断モードでは、カッタ要素３ａを正転駆動し、例えば細断機構３でシート状物Ｓのジャムが生じた場合には、ジャム処理として、カッタ要素３ａを逆転駆動して詰まったシート状物Ｓを排出するジャム処理モードが行われることが多い。
更に、負荷判別部５としては、細断機構３の負荷を判別するものであればよく、細断機構３の負荷を直接的に検出して判別する態様（例えば駆動装置４の駆動源の駆動電流などを検出する電流検出器などによる検出結果に基づいて負荷を判別する態様）、あるいは、間接的に検出して判別する態様（シート状物Ｓの厚さ検出器などによる検出結果に基づいて負荷を判別する態様）が挙げられる。
【００１２】
更にまた、方向判別部６は細断機構３のカッタ要素３ａの回転方向を判別するものであればよく、逆転スイッチのオンオフに基づいて判別するようにしてもよいし、細断機構３のカッタ要素３ａの回転方向を直接検出して判別する態様でもよいし、あるいは、駆動装置４の駆動源の回転方向によって細断機構３のカッタ要素３ａの回転方向を間接的に検出して判別する態様などが挙げられる。
また、負荷表示器７は一若しくは複数の表示要素７ａを有し、方向表示器８は複数の表示要素８ａを有していればよく、これらの表示要素７ａ（８ａ）を用いて複数種の所望の点灯パターンを形成するものであればよい。
ここで、表示要素７ａ又は８ａが複数ある態様では、予め決められた方向に並ぶ３以上有する態様が好ましい。表示要素７ａ又は８ａが３以上であれば、細断機構３の負荷や動作方向に関し、表示要素７ａ又は８ａが２である場合に比べて、異なる点灯パターンの組合せを選定し易い点で好ましい。
更に、制御装置９は負荷判別部５、方向判別部６の判別結果に基づいて負荷表示器７、方向表示器８を制御するものであればよく、その制御アルゴリズムについては適宜選定して差し支えない。
【００１３】
次に、本実施の形態に係るシュレッダの代表的態様又は好ましい態様について説明する。
先ず、負荷表示器７及び方向表示器８については、別個に設けてもよいし、一方が他方を兼用するようにしてもよい。
ここで、兼用型表示器にあっては、部品点数を低減し、共通の表示器で、点灯パターンを工夫することにより細断機構３の負荷及び動作方向を表示するようにすればよい。
また、負荷表示器７の代表的態様としては、複数の表示要素７ａの点灯数に応じて細断機構３の負荷の程度を表示するものが挙げられる。本態様は、複数の表示要素７ａの点灯数を増減させ、その点灯数と細断機構３の負荷とを関連付けたものである。
更に、負荷表示器７の別の代表的態様としては、例えば図２（ａ）に示すように、点灯色の異なる複数の表示要素７ａを有し、表示要素７ａの点灯色に応じて細断機構３の負荷の程度を表示するものが挙げられる。本態様は、例えば点灯色が緑であれば、細断機構３の負荷が標準的な使用範囲（例えば図２（ａ）の‘負荷Ｉ’）内であり、例えば点灯色が黄色、赤であれば、細断機構３が段階的に過負荷状態（例えば図２（ａ）の‘負荷II’）に変化することを表示することが可能である。
【００１４】
また、方向表示器８の代表的態様としては、図２（ｂ）に示すように、予め決められた方向に並ぶ複数の表示要素８ａを有し、複数の表示要素８ａの点灯の切り替えパターンを異ならせることで、細断機構３に対するシート状物Ｓの搬入又は排出方向を表示する態様が挙げられる。ここで、切り替えパターンの異ならせ方としては適宜選定して差し支えないが、例えば図２（ｂ）に示すように、複数（図では５つ）の表示要素８ａの点灯順序（１→２→３→４→５）の方向を異ならせ、細断機構３のカッタ要素３ａの回転方向が「正転」又は「逆転」を表示するようにすればよい。
【００１５】
以下、添付図面に示す実施の形態に基づいて本発明をより詳細に説明する。
◎実施の形態１
図３は実施の形態１に係るシュレッダの全体構成を示す。
−シュレッダの全体構成−
同図において、シュレッダ２０は、略直方体形状のシュレッダ筐体２１を有し、このシュレッダ筐体２１の上面には細断するシート状物としての用紙Ｓが投入される投入口２２を開設し、この投入口２２には一対のガイドシュートで区画された搬入経路２３を設け、この搬入経路２３の途中に細断機構２４を配設し、シュレッダ筐体２１内の細断機構２４の下方には用紙Ｓの細断屑Ｓａが収容される屑入れ２７をシュレッダ筐体２１から出し入れ可能に配設したものである。尚、符号２１ａはシュレッダ筐体２１を開閉する扉、符号４０は屑入れ２７を載置して引出可能とするトレイである。
ここで、細断機構２４は、カッタ要素として対構成の刃付ドラム３１，３２が用いられるカットクロス方式を採用したもので、対構成の刃付ドラム３１，３２の噛み合い領域に用紙Ｓを挿通させることで、用紙Ｓの搬入方向に沿う方向（縦方向）及びこれに略直交する交差方向（横方向）について縦横同時に細断するようにしたものである。
【００１６】
また、本実施の形態において、符号５０は細断機構２４を駆動する駆動装置であり、この駆動装置５０は、図３及び図４（ａ）（ｂ）に示すように、駆動源としての駆動モータ５１と、この駆動モータ５１からの駆動力を細断機構２４の対構成の刃付ドラム３１，３２に伝達する駆動伝達機構５９とを有している。
本例において、駆動伝達機構５９としては、例えば駆動モータ５１の駆動軸及び第１の刃付ドラム３１の回転軸に夫々プーリ５９ａ，５９ｂを固着すると共に、これらプーリ５９ａ，５９ｂ間に伝達ベルト５９ｃを掛け渡し、更に、各対構成の刃付ドラム３１，３２の回転軸には伝達ギア５９ｄ，５９ｅを互いに噛合させた状態で固着するようにしたものである。
【００１７】
−制御装置−
更に、本実施の形態では、図４に示すように、細断機構２４を駆動する駆動装置５０は制御装置７０によって制御されるようになっている。
本例において、制御装置７０はＣＰＵ、ＲＡＭ、ＲＯＭ及び入出力ポートを含むマイクロコンピュータシステムからなり、操作パネル６０からの操作信号、搬入経路２３に用紙Ｓが搬入されたか否かを検出する位置センサ２８からの信号などを入出力ポートを介して受け取り、ＣＰＵ、ＲＡＭによってＲＯＭ内に予めインストールされている細断制御プログラムを実行し、入出力ポートを介して細断機構２４の駆動装置５０に対し所定の制御信号を送出するようになっている。
そして、本例では、操作パネル６０は、図４に示すように、シュレッダ２０に電源を投入するためのスタートスイッチ６１（図中ＳＴと表記）と、用紙Ｓが搬入経路２３で紙詰まりした場合に用紙Ｓを逆転排出する排出モードなどを指定するときにオン操作するモード選択スイッチ６２（図中ＭＳと表記）と、シュレッダ２０の動作状態を表示する表示器６３と、を有している。また、位置センサ２８は用紙Ｓが通過したことを検出可能な構成であれば、機械的、光学式センサなど適宜選定して差し支えない。
また、符号８０は駆動モータ５１に供給される駆動電流を検出する電流検出器であり、この電流検出器８０の電流値をモニタすることで細断機構２４に搬入される用紙Ｓの負荷を判別し、用紙Ｓの詰まりなどが予測可能になっている。尚、本例では電流検出器８０によって用紙Ｓの負荷を判別するようにしているが、例えば搬入経路２３の途中に用紙Ｓの厚さが検出可能な厚さ検出器（図示せず）を設け、この厚さ検出器にて搬入される用紙Ｓの厚さを検出することで、細断機構２４に搬入される用紙Ｓの負荷を判別するようにしてもよい。
【００１８】
−細断表示器−
本実施の形態では、図５に示すように、シュレッダ筐体２１の上面に細断表示器１００が設けられており、この細断表示器１００は、細断機構２４のカッタ要素の負荷及び動作方向を表示するものである。
本例では、細断表示器１００は、図５及び図６（ａ）に示すように、一方向に延びる幅狭の矩形状の表示基板１１６に点灯可能な複数（本例では５つ）の表示要素１１０（具体的には１１１〜１１５）を長手方向に所定間隔毎に並べて搭載したものである。
そして、表示要素１１０（１１１〜１１５）としては例えばフルカラーＬＥＤが用いられ、夫々異なる点灯色を点灯することが可能である。
例えば表示要素１１０としてのフルカラーＬＥＤは例えば３つの色端子ｃ１〜ｃ３を有すると共に、一つの点灯端子ｈ（具体的にはｈ１〜ｈ５）を有しており、色端子ｃ１〜ｃ３には用紙Ｓの負荷に関する負荷判別信号ＳＣが入力され、また、点灯端子ｈ（ｈ１〜ｈ５）には細断機構２４のカッタ要素として対構成の刃付ドラム３１，３２の回転方向に関する方向判別信号ＳＨが入力されるようになっている。
【００１９】
ここで、負荷判別信号ＳＣとしては、図６（ｂ）に示すように、用紙Ｓの負荷レベル（Ｌ１〜Ｌ５）に応じて３ビットの信号（‘００１’‘０１０’‘１００’‘１０１’‘１１１’）が割り当てられている。
また、方向判別信号ＳＨとしては、図６（ｃ）に示すように、５つの表示要素１１０（１１１〜１１５）の各点灯端子ｈ（ｈ１〜ｈ５）に対し、例えば正転方向の場合には、表示要素１１１から１１５の方向に向かって等間隔毎に順次点灯する第１のパルス信号列（ｈ１→ｈ２→ｈ３→ｈ４→ｈ５→ｈ１→……）が割り当てられ、一方、逆転方向の場合には、表示要素１１５から１１１の方向に向かって等間隔毎に順次点灯する第２のパルス信号列（ｈ５→ｈ４→ｈ３→ｈ２→ｈ１→ｈ５→……）が割り当てられている。尚、本例では、第１、第２のパルス信号列はいずれも等間隔毎のパルス列が選定されているが、これに限られるものではなく、各パルスの時間幅を最初は長く、順次短くするなど各パルスの時間幅を変更するようにしても差し支えない。
【００２０】
−シュレッダの細断制御処理−
次に、本実施の形態に係るシュレッダの細断制御処理を主として図４及び図７に示すフローチャートに従って説明する。
＜通常細断処理＞
先ず、制御装置７０は、操作パネル６０のスタートスイッチ６１がオン操作されたことを判断した後、駆動装置５０の駆動条件（例えば駆動モータ５１の駆動速度条件）を予め決められた所定のものに設定する。
この状態において、シュレッダ筐体２１の投入口２２に用紙Ｓが投入されると、当該用紙Ｓは搬入経路２３に沿って細断機構２４に向かって移動する。このとき、位置センサ２８は用紙Ｓが通過したことを検出すると、位置センサ２８による検出信号が制御装置７０に取り込まれ、これに連動して、駆動モータ５１が所定の駆動条件に従って細断機構２４の対構成の刃付ドラム３１，３２を駆動する。
本例では、用紙Ｓは対構成の刃付ドラム３１，３２の噛み合い領域を通過することで、縦横同時に細断され、細断屑Ｓａが屑入れ２７に向かって下方へと落下する。
そして、用紙Ｓの後端が位置センサ２８を通過して予め決められた時間（細断処理が終了したであろうと推測される時間）が経過すると、制御装置７０は細断処理が終了したものと判断し、駆動モータ５１の駆動を停止し、一連の細断制御処理を終了する。
【００２１】
＜細断表示＞
上述した通常細断処理が行われている間、制御装置７０は細断表示器１００に対して細断機構２４のカッタ要素の負荷及び動作方向を表示させるように制御する。
本例では、制御装置７０は、図７に示すように、細断機構２４が駆動を開始して用紙Ｓの細断動作が開始されると、細断機構２４の負荷判別及び方向判別を実施する。
先ず、負荷判別について説明すると以下のようである。
用紙Ｓの細断動作が開始されると、駆動装置５０の駆動モータ５１に負荷がかかることから、モニタされている電流検出器８０の電流値が細断すべき用紙Ｓの負荷に応じて変化する。このため、制御装置７０は電流検出器８０の出力から用紙Ｓの負荷レベルを判別し、負荷判別信号ＳＣ（図６（ａ）（ｂ）参照）を細断表示器１００に向けて送出する。
本例では、負荷レベルは複数のレベルＬ１〜Ｌ５に分けられており、例えば以下のような基準で選定されている。
Ｌ１：黄緑色表示／カッタ要素の回り始め及び細断枚数が少ないとき。
Ｌ２：緑  色表示／適量の枚数で、もっとも効率の良い状態を示す。
Ｌ３：黄  色表示／細断枚数が少し多めの状態を示す。
Ｌ４：赤  色表示／細断枚数が多く高負荷な状態を示す。
Ｌ５：赤  色点滅／最大細断枚数を超えた場合や用紙の詰まりのため、細断機構が自動停止した状態を示す。
今、負荷判別信号ＳＣが図６（ｂ）に示すいずれかである場合には、図８（ａ）に示すように、各表示要素１１０（１１１〜１１５）には負荷レベルＬ１〜Ｌ５に応じて対応する負荷判別信号ＳＣ１〜ＳＣ５が入力されることから、各表示要素１１０（１１１〜１１５）は夫々の負荷レベルＬ１〜Ｌ５に応じた異なる点灯色で点灯する。
このため、ユーザは、各表示要素１１０の点灯色を見ることで細断機構２４の負荷を把握することが可能である。
【００２２】
次に、方向判別について説明する。
用紙Ｓの細断動作が開始されると、細断機構２４のカッタ要素としての対構成の刃付ドラム３１，３２は正転方向に回転する。
一方、細断機構２４に対する用紙Ｓの負荷レベルがＬ５である場合には、上述したように、細断機構２４は自動停止した状態に至る。このとき、図４に示すモード選択スイッチ６２をオン操作することで細断機構２４により用紙Ｓの排出モードを実施するようにすれば、細断機構２４のカッタ要素としての対構成の刃付ドラム３１，３２は逆転方向に回転し、細断機構２４にとどまっていた用紙Ｓは搬入経路２３から投入口２２に戻された後に排出される。
このように、細断機構２４の動作方向は通常細断処理にあっては正転方向であり、例えばモード選択スイッチ６２のオン操作による排出モードを実施するときに、例外的に逆転方向になることから、制御装置７０は例えばモード選択スイッチ６２のオンオフによって細断機構２４の動作方向を判別することが可能である。尚、本実施の形態では、細断機構２４の動作方向の判別に関し、モード選択スイッチ６２のオンオフに連動する方式を採用しているが、例えば負荷レベルがＬ５である場合に、細断機構２４が自動停止した後に指導的に排出モードが実施されるような場合には、負荷レベルがＬ５に至ったことに基づいて細断機構２４の動作方向の判別をすることも可能である。
この結果、制御装置７０は、細断機構２４の動作方向の判別結果に基づいて細断表示器１００に方向判別信号ＳＨを送出する。
ここで、方向判別信号ＳＨが例えば図６（ｃ）に示す正転方向の信号である場合には、細断表示器１００は、図８（ｂ）に示すように、表示要素１１１から表示要素１１５に向かって順次点灯するという正方向のスクロール表示がなされる。一方、方向判別信号ＳＨが例えば図６（ｃ）に示す逆転方向の信号である場合には、細断表示器１００は、図８（ｃ）に示すように、表示要素１１５から表示要素１１１に向かって順次点灯するという逆方向のスクロール表示がなされる。
この結果、ユーザは、この細断表示器１００のスクロール表示の方向を見て細断機構２４の動作方向を把握することが可能である。
尚、細断機構２４による細断処理が終了すると、制御装置７０は細断表示器１００に対する表示を終了する。
【００２３】
◎実施の形態２
図９（ａ）は実施の形態２に係るシュレッダで用いられる細断表示器の要部を示す説明図である。
同図において、細断表示器１００は、実施の形態１と異なり、細断機構２４の負荷を表示する負荷表示器１０１と、細断機構２４の動作方向を表示する方向表示器１０２とを別個に備えている。
本例では、負荷表示器１０１は一方向に延びる幅狭の矩形状の表示基板１１７の一端側に一つの表示要素１２０を搭載したものである。この表示要素１２０としては例えばフルカラーＬＥＤが用いられ、例えば３つの色端子ｃ１〜ｃ３を有すると共に図示外の点灯端子を有しており、色端子ｃ１〜ｃ３に入力される負荷判別信号ＳＣに応じて異なる点灯色を点灯するようになっている。
また、方向表示器１０２は表示基板１１７のうち負荷表示器１０１の表示要素１２０に隣接した部位に点灯可能な複数（本例では５つ）の表示要素１３０（具体的には１３１〜１３５）を長手方向に所定間隔毎に並べて搭載したものである。
ここで、表示要素１３０（１３１〜１３５）としては単色のＬＥＤが用いられ、夫々点灯端子ｈ（ｈ１〜ｈ５）を有しており、各点灯端子ｈ（ｈ１〜ｈ５）に入力される方向判別信号ＳＨに応じて夫々予め決められた点灯色で点灯するようになっている。
このように、本実施の形態では、図９（ｂ）に示すように、細断表示器１００の負荷表示器１０１は細断機構２４の負荷レベルに応じて表示要素１２０を異なる点灯色で点灯する。
一方、細断表示器１００の方向表示器１０２は細断機構２４の動作方向に応じて複数の表示要素１３０（１３１〜１３５）を異なる方向にスクロール表示する。
【００２４】
◎実施の形態３
図１０（ａ）は実施の形態３に係るシュレッダで用いられる細断表示器の要部を示す説明図である。
同図において、細断表示器１００は、実施の形態２と略同様に、細断機構２４の負荷を表示する負荷表示器１０１と、細断機構２４の動作方向を表示する方向表示器１０２とを別個に備えているが、負荷表示器１０１が実施の形態２と異なるものとして構成されている。
本例では、細断表示器１００は負荷表示器１０１と方向表示器１０２とが二列に並ぶことが可能な表示基板１１８を有しており、この表示基板１１８の片側面に実施の形態２と同様な方向表示器１０２が設けられ、この表示基板１１８の他の片側面に負荷表示器１０１が設けられている。
ここで、負荷表示器１０１は表示基板１１８に複数（本例では５つ）の表示要素１４０（具体的には１４１〜１４５）を搭載したものである。この表示要素１４０（１４１〜１４５）としては夫々が予め決められた点灯色（本例ではＣＲ１〜ＣＲ５）のカラーＬＥＤが用いられ、夫々が点灯端子ｃ（ｃ１〜ｃ５）を有すると共にこれらの点灯端子ｃに負荷判別信号ＳＣを入力するようになっている。
本例では、ＣＲ１〜ＣＲ５は実施の形態１と同様の負荷レベルＬに応じて黄緑色、緑色、黄色、赤色、点滅する赤色（又は別の色）で点灯するようになっている。
また、負荷判別信号ＳＣは、図１０（ｂ）示すように、細断機構２４の負荷レベルＬ（Ｌ１〜Ｌ５）に応じて、負荷表示器１０１の各表示要素１４０（１４１〜１４５）の点灯端子ｃ（ｃ１〜ｃ５）に対し、対応した点灯色の表示要素１４０を選択するように選定されている。
具体的には、図１０（ｃ）に示すように、各負荷レベルＬ（Ｌ１〜Ｌ５）に対し負荷表示器１０１の各表示要素１４０（１４１〜１４５）が割り付けられている。
負荷レベル                  表示要素
Ｌ１                    １４１（ＣＲ１）
Ｌ２                    １４２（ＣＲ２）
Ｌ３                    １４３（ＣＲ３）
Ｌ４                    １４４（ＣＲ４）
Ｌ５                    １４５（ＣＲ５）
本例では、ユーザは負荷表示器１０１の点灯する表示要素１４０（１４１〜１４５のいずれか）を見ることで細断機構２４の負荷レベルＬを把握することが可能である。
尚、方向表示器１０２は実施の形態２と略同様に動作する。
【００２５】
◎実施の形態４
図１１（ａ）は実施の形態４に係るシュレッダで用いられる細断表示器の要部を示す説明図である。
同図において、細断表示器１００は、実施の形態３と略同様に、細断機構２４の負荷を表示する負荷表示器１０１と、細断機構２４の動作方向を表示する方向表示器１０２とを別個に備えているが、負荷表示器１０１が実施の形態３と異なるものとして構成されている。
本例では、負荷表示器１０１は表示基板１１８に複数（本例では５つ）の表示要素１５０（具体的には１５１〜１５５）を搭載したものである。この表示要素１５０（１５１〜１５５）としてはいずれも同じ点灯色（単色）のＬＥＤが用いられ、夫々が点灯端子ｃ（ｃ１〜ｃ５）を有すると共にこれらの点灯端子ｃに負荷判別信号ＳＣを入力するようになっている。
本例では、負荷判別信号ＳＣは、図１１（ｂ）示すように、負荷表示器１０１の各表示要素１５０（１５１〜１５５）の点灯端子ｃ（ｃ１〜ｃ５）に対し、細断機構２４の負荷レベルＬ（Ｌ１〜Ｌ５）に応じた点灯数の表示要素１５０を選択するように選定されている。
具体的には、図１１（ｃ）に示すように、各負荷レベルＬ（Ｌ１〜Ｌ５）に対し負荷表示器１０１の各表示要素１５０（１５１〜１５５）が割り付けられている。
負荷レベル                  表示要素
Ｌ１                    １５１
Ｌ２                    １５１＋１５２
Ｌ３                    １５１＋１５２＋１５３
Ｌ４                    １５１＋１５２＋１５３＋１５４
Ｌ５                    １５１＋１５２＋１５３＋１５４＋１５５
本例では、ユーザは負荷表示器１０１の表示要素１５０（１５１〜１５５）の点灯数を見ることで細断機構２４の負荷レベルＬを把握することが可能である。
尚、方向表示器１０２は実施の形態２と略同様に動作する。
【符号の説明】
【００２６】
１…シュレッダ筐体，２…搬入経路，３…細断機構，３ａ…カッタ要素，４…駆動装置，５…負荷判別部，６…方向判別部，７…負荷表示器，７ａ…表示要素，８…方向表示器，８ａ…表示要素，９…制御装置，Ｓ…シート状物
【図１】
2015134330.tif 000003
【図２】
2015134330.tif 000004
【図３】
2015134330.tif 000005
【図４】
2015134330.tif 000006
【図５】
2015134330.tif 000007
【図６】
2015134330.tif 000008
【図７】
2015134330.tif 000009
【図８】
2015134330.tif 000010
【図９】
2015134330.tif 000011
【図１０】
2015134330.tif 000012
【図１１】
2015134330.tif 000013